(57)【要約】【課題】排気通路内において還元剤を十分に気化させ、ひいては排気浄化装置の浄化能力を高める。【解決手段】尿素ＳＣＲシステムは、尿素水を貯留する尿素水タンク２１と、該尿素水タンク２１に尿素水供給管２３を介して接続され排気通路に尿素水を添加する尿素水添加弁１５と、排気通路内の排気を浄化するＳＣＲ触媒１３とを備え、尿素水添加弁１５により排気通路内に添加される尿素水を用いてＳＣＲ触媒１３による排気浄化を行わせる。尿素水供給管２３にはヒータ３１が設けられている。ＥＣＵ４０は、排気通路内の排気温度を検出し、その排気温度に基づいてヒータ３１による尿素水の加熱制御を実施する。【選択図】      図１
2010065581.tif 000002
【特許請求の範囲】
【請求項１】
液状の還元剤を貯留する還元剤タンクと、該還元剤タンクに還元剤通路を介して接続され内燃機関の排気通路に前記還元剤を添加する還元剤添加手段と、前記排気通路内の排気を浄化する排気浄化装置とを備え、前記還元剤添加手段により前記排気通路内に添加される還元剤を用いて前記排気浄化装置による排気浄化を行わせる内燃機関の排気浄化システムであって、
前記還元剤タンク及び前記還元剤通路の少なくともいずれかに設けられ、その内部の還元剤を加熱する加熱手段と、
前記排気通路内の排気温度を検出する温度検出手段と、
前記温度検出手段により検出した排気温度に基づいて前記加熱手段による還元剤の加熱制御を実施する制御手段と、
を備えることを特徴とする内燃機関の排気浄化システム。
【請求項２】
前記制御手段は、前記温度検出手段により検出した排気温度に基づいて前記還元剤の目標温度を設定し、前記還元剤添加手段により添加される還元剤の温度が前記目標温度となるよう前記加熱手段による加熱制御を実施するものであり、
前記検出した排気温度が低いほど、前記目標温度を高くする請求項１に記載の内燃機関の排気浄化システム。
【請求項３】
前記制御手段は、前記温度検出手段により検出した排気温度が所定の低温状態にある場合に、前記加熱手段による還元剤の加熱を実施し、同排気温度が前記低温状態にない場合に、前記加熱手段による還元剤の加熱を実施しない請求項１又は２に記載の内燃機関の排気浄化システム。
【請求項４】
前記排気通路内における排気流量を算出する流量算出手段を備え、
前記制御手段は、前記流量算出手段により算出した排気流量が少ないほど、前記加熱手段による還元剤の加熱度合いを大きくする請求項１乃至３のいずれか一項に記載の内燃機関の排気浄化システム。
【請求項５】
前記還元剤は尿素水溶液であり、
前記制御手段は、前記尿素水溶液からアンモニアが生成される加水分解温度を温度上限として前記加熱手段による還元剤の加熱制御を実施する請求項１乃至４のいずれか一項に記載の内燃機関の排気浄化システム。
【請求項６】
前記内燃機関の運転停止中に前記加熱手段による還元剤加熱の要否判定を実施する手段を備え、
前記制御手段は、前記要否判定の結果に基づいて前記加熱手段による加熱を実施する請求項１乃至５のいずれか一項に記載の内燃機関の排気浄化システム。
【請求項７】
前記還元剤タンクは、第１タンクと、この第１タンクよりも小容量であって同第１タンクと前記還元剤添加手段との間の還元剤経路に設けられる第２タンクとを有し、
前記加熱手段は、前記第２タンク内の還元剤を加熱するものとして設けられている請求項１乃至６のいずれかに記載の内燃機関の排気浄化システム。
【発明の詳細な説明】
【技術分野】
【０００１】
本発明は、内燃機関の排気浄化システムにかかり、例えば、内燃機関の排気管に設けられた選択還元型のＮＯｘ触媒の上流側に尿素水溶液を添加する尿素ＳＣＲ（Selective Catalytic Reduction）システムとして実用化されている。
【背景技術】
【０００２】
近年、自動車等に適用されるエンジン（特にディーゼルエンジン）において、排気中のＮＯｘ（窒素酸化物）を高い浄化率で浄化する排気浄化システムとして、尿素ＳＣＲシステムの開発が進められており、一部実用化に至っている。この尿素ＳＣＲシステムは、尿素水（尿素水溶液）を貯留する尿素水タンクと、該尿素水タンクに尿素水通路を介して接続されエンジンの排気通路に尿素水を添加する尿素水添加弁と、排気通路に設けられる選択還元型のＮＯｘ触媒とを備え、尿素水添加弁により排気通路内に添加される尿素水を用いてＮＯｘ触媒による排気浄化を行わせるものである。
【０００３】
上記の尿素ＳＣＲシステムでは、尿素水が液滴状態で排気通路に添加された場合において、その尿素水が通路壁面等に付着することでＮＯｘ触媒でのＮＯｘ浄化性能が低下することが懸念される。つまり、排気通路内では尿素水の加水分解によりアンモニアが生成され、そのアンモニアがＮＯｘ触媒に供給されることでＮＯｘ浄化が行われる。この場合、尿素水が通路壁面に付着することで、ＮＯｘと還元剤（アンモニア）との反応量が減るため、ＮＯｘ浄化率が低下すると考えられる。
【０００４】
こうした不都合に対し、特許文献１では、液体還元剤を加熱しつつ、ＮＯｘ触媒の上流側に還元剤添加弁により添加する構成が提案されている。この構成によれば、加熱により還元剤の気化が促進されるため、ＮＯｘ触媒に対する還元剤の供給分布が均一化され、還元剤の拡散性が向上する。また、液滴状態の還元剤が排気と混合する場合に排気温度の低下が抑制される。
【特許文献１】特開２００２−３３２８２７号公報
【発明の開示】
【発明が解決しようとする課題】
【０００５】
ここで、排気通路内において尿素水（還元剤）が気化する場合、気化の状況は常に一様ではなく、気化不足が生じる状況も一様ではない。この点、上記特許文献１の排気浄化装置では、気化促進の程度を適度に調整できるものではなく、還元剤の気化不足が依然として生じるおそれがある。
【０００６】
本発明は、排気通路内において還元剤を十分に気化させ、ひいては排気浄化装置の浄化能力を高めることができる内燃機関の排気浄化システムを提供することを主たる目的とするものである。
【課題を解決するための手段】
【０００７】
以下、上記課題を解決するための手段、及びその作用効果について説明する。
【０００８】
本発明における内燃機関の排気浄化システムは、液状の還元剤を貯留する還元剤タンクと、該還元剤タンクに還元剤通路を介して接続され内燃機関の排気通路に前記還元剤を添加する還元剤添加手段と、前記排気通路内の排気を浄化する排気浄化装置とを備え、前記還元剤添加手段により前記排気通路内に添加される還元剤を用いて前記排気浄化装置による排気浄化を行わせるものである。また、還元剤タンク及び還元剤通路の少なくともいずれかに、その内部の還元剤を加熱する加熱手段が設けられている。そして、排気通路内の排気温度を検出し、該検出した排気温度に基づいて加熱手段による還元剤の加熱制御を実施する。
【０００９】
要するに、還元剤添加手段により排気通路内に液状の還元剤が添加される際、排気通路内が低温であると、還元剤の気化が不十分となり、排気浄化装置の浄化能力が低下することが懸念される。この点、本発明では、排気通路内の排気温度を検出し、該検出した排気温度に基づいて加熱手段による還元剤の加熱制御を実施するため、還元剤添加手段による添加前の還元剤を、添加後において早期に気化可能な温度に加熱することができる。この場合、還元剤の気化について排気温度との関係が考慮されて加熱制御が行われることで、還元剤の適度な気化を実現できる。その結果、排気通路内において還元剤を十分に気化させ、ひいては排気浄化装置の浄化能力を高めることができる。
【００１０】
請求項２に記載の発明では、温度検出手段により検出した排気温度に基づいて前記還元剤の目標温度を設定し、前記還元剤添加手段により添加される還元剤の温度が前記目標温度となるよう前記加熱手段による加熱制御を実施する。このとき、前記検出した排気温度が低いほど前記目標温度を高くすることとしている。ここで、排気温度が低いほど排気通路内で還元剤が気化しにくくなると考えられる。この点、上記構成によれば、都度の排気温度に応じて還元剤の目標温度を好適に設定でき、適度に還元剤を気化させることができる。
【００１１】
請求項３に記載の発明では、温度検出手段により検出した排気温度が所定の低温状態にある場合に、前記加熱手段による還元剤の加熱を実施し、同排気温度が前記低温状態にない場合に、前記加熱手段による還元剤の加熱を実施しない。排気通路内において還元剤の気化が不十分となるのは、同排気通路内が所定温度よりも低い状態である場合に限られると考えられ、その場合のみ還元剤を加熱することが望ましい。この点、上記構成によれば、所定の低温状態以外であり（すなわち、比較的高温の状態であり）必要でないのに還元剤が加熱される、といった還元剤の過加熱を抑制できる。
【００１２】
請求項４に記載の発明では、排気通路内における排気流量を算出し、該算出した排気流量が少ないほど、前記加熱手段による還元剤の加熱度合いを大きくする。排気通路内の排気流量が少ないほど、排気通路内において還元剤が気化しにくいと考えられる。この点、上記構成によれば、排気流量が少なくても、還元剤を十分に気化させることができる。
【００１３】
液状の還元剤としては尿素水溶液を用いることができ、この尿素水溶液が所定温度（例えば８０℃）で加水分解されることによりアンモニアが生成される。この場合、還元剤タンク内又は還元剤通路内で尿素水溶液の温度が加水分解温度以上になると、その還元剤タンク内又は還元剤通路内でアンモニアが生成されることが懸念される。この点、請求項５に記載したように、前記尿素水溶液からアンモニアが生成される加水分解温度を温度上限として前記加熱手段による還元剤の加熱制御を実施するとよい。これにより、還元剤タンク内又は還元剤通路内で、すなわち還元剤添加手段による添加前に、尿素水溶液が加水分解されてアンモニアが生成されるといった不都合を抑制できる。
【００１４】
請求項６に記載の発明では、内燃機関の運転停止中に前記加熱手段による還元剤加熱の要否判定を実施し、その要否判定の結果に基づいて前記加熱手段による加熱を実施する。より具体的には、例えば自動車においては、機関停止状態で車両ドアが開放されたことや、機関停止状態で車両シートに人が着座したことなど、所定の車両搭乗動作が生じたことを検知し、その検知結果に基づいて、還元剤加熱を要することを判定するとよい。
【００１５】
上記のように内燃機関の運転停止中に還元剤の加熱を実施することにより、内燃機関の始動後において早期に適正な状態での還元剤の添加を行わせることができる。
【００１６】
請求項７に記載の発明では、前記還元剤タンクは、第１タンクと、この第１タンクよりも小容量であって同第１タンクと前記還元剤添加手段との間の還元剤経路に設けられる第２タンクとを有し、前記加熱手段は、前記第２タンク内の還元剤を加熱するものとして設けられている。本構成では、比較的小容量の第２タンク内の還元剤を対象に加熱制御が実施されるため、還元剤をいち早く所望の温度に加熱できる。また、還元剤の加熱に要する電力エネルギ等の低減を図ることもできる。
【発明を実施するための最良の形態】
【００１７】
以下、本発明に係る排気浄化システムを具体化した実施形態について図面を参照しつつ説明する。本実施形態の排気浄化システムは、排気浄化装置としての選択還元型触媒を用いて排気中のＮＯｘを浄化するものであり、尿素ＳＣＲシステムとして構築されている。はじめに、図１を参照してこのシステムの構成について詳述する。図１は、本実施形態に係る尿素ＳＣＲシステムの概要を示す構成図である。本システムは、自動車に搭載されたディーゼルエンジン（図示略）により排出される排気を浄化対象として、排気を浄化するための各種アクチュエータ及び各種センサ、並びにＥＣＵ（電子制御ユニット）４０等を有して構築されている。
【００１８】
エンジン排気系の構成として、図示しないエンジン本体に接続され排気通路を形成する排気管１１には、上流側から順に酸化触媒１２、選択還元型触媒（以下、ＳＣＲ触媒という）１３が配設されている。排気管１１において酸化触媒１２とＳＣＲ触媒１３との間には、還元剤としての尿素水（尿素水溶液）を排気管１１内に添加供給するための尿素水添加弁１５が設けられるとともに、ＮＯｘセンサ１６と排気温度センサ１７とが設けられている。また、排気管１１においてＳＣＲ触媒１３の下流側には、ＮＯｘセンサ１８が設けられている。ＮＯｘセンサ１６はＳＣＲ触媒１３の上流側にて排気中のＮＯｘ濃度を検出し、ＮＯｘセンサ１８はＳＣＲ触媒１３の下流側にて排気中のＮＯｘ濃度を検出する。排気管１１においてＳＣＲ触媒１３の更に下流側には、同触媒１３から排出されるアンモニア（ＮＨ3）、すなわち余剰のアンモニアを除去するためのアンモニア除去装置として酸化触媒１９が設けられている。
【００１９】
上述した排気系の構成では、エンジン本体から排出された排気は酸化触媒１２を通過し、その際、酸化触媒１２の酸化作用により排気中のＮＯ（一酸化窒素）がＮＯ2（二酸化窒素）に変換される。そしてその後、ＳＣＲ触媒１３では、アンモニアによるＮＯｘ還元が行われる。ＮＯｘ還元の詳細は後述する。
【００２０】
なお、酸化触媒１２は、ＰＭ除去装置としてのＤＰＦ（Diesel Particulate Filter）と一体の装置として設けられていてもよい。この場合、ＤＰＦの上流側に酸化触媒１２を設けるか、或いはＤＰＦを担体としてそのセル表面に白金等を担持することで酸化触媒１２を一体化する。ちなみに、ＤＰＦは、排気中のＰＭ（粒子状物質）を捕集する連続再生式のＰＭ除去用フィルタであり、ＤＰＦに捕集されたＰＭは、ディーゼルエンジンにおけるメイン燃料噴射後のポスト噴射等により燃焼除去され（再生処理に相当）、これによりＤＰＦの継続使用が可能となっている。
【００２１】
ＳＣＲ触媒１３はＮＯｘの還元反応（排気浄化反応）を促進するものであり、
ＮＯ＋ＮＯ2＋２ＮＨ3→２Ｎ2＋３Ｈ2Ｏ    …（式１）
４ＮＯ＋４ＮＨ3＋Ｏ2→４Ｎ2＋６Ｈ2Ｏ    …（式２）
６ＮＯ2＋８ＮＨ3→７Ｎ2＋１２Ｈ2Ｏ      …（式３）
のような反応を促進して排気中のＮＯｘを還元する。そして、これらの反応においてＮＯｘの還元剤となるアンモニア（ＮＨ3）を添加供給するものが、同ＳＣＲ触媒１３の上流側に設けられた尿素水添加弁１５である。
【００２２】
尿素水添加弁１５は、ガソリン噴射用の既存の燃料噴射弁（インジェクタ）とほぼ同様の構成を有するものであり、公知の構成が採用できるため、ここでは構成を簡単に説明する。尿素水添加弁１５は、電磁ソレノイド等からなる駆動部と、先端噴孔部を開閉するためのニードルを有する弁体部とを備えた電磁式開閉弁として構成されており、ＥＣＵ４０からの噴射駆動信号に基づき開弁又は閉弁する。すなわち、噴射駆動信号に基づき電磁ソレノイドが通電されると、該通電に伴いニードルが開弁方向に移動し先端噴孔部１５ａから尿素水が添加（噴射）される。
【００２３】
尿素水添加弁１５に対しては、尿素水タンク２１から尿素水が逐次供給されるようになっており、次に、尿素水供給系の構成について説明する。
【００２４】
尿素水タンク２１は給液キャップ付きの密閉容器にて構成されており、その内部に所定濃度（３２．５％）の尿素水が貯蔵されている。尿素水タンク２１内には、尿素水に浸漬した状態で尿素水ポンプ２２が設けられている。尿素水ポンプ２２は、ＥＣＵ４０からの駆動信号により回転駆動される電動式ポンプである。尿素水ポンプ２２には尿素水供給管２３の一端が接続されており、同尿素水供給管２３の他端は尿素水添加弁１５に接続されている。尿素水供給管２３により尿素水通路（還元剤通路）が形成されている。尿素水ポンプ２２が回転駆動されることにより、尿素水が汲み上げられ尿素水供給管２３を通じて尿素水添加弁１５側に吐出される。
【００２５】
尿素水ポンプ２２は、例えば駆動源として電動機（モータ）を備えるタービン式ポンプであり、電動機の駆動に伴いインペラが回転するとともにインペラ外周部に設けられた多数の羽根溝から尿素水が圧送されるようになっている。なお、尿素水ポンプ２２としてはロータ式ポンプ等、他のポンプが適用されてもよい。また、本システムには、尿素水の圧力を調整するための圧力調整弁２４が設けられており、尿素水ポンプ２２の吐出圧力は圧力調整弁２４によって適宜調整される。
【００２６】
その他、尿素水供給管２３には、その内部の尿素水の温度を検出する尿素水温度センサ２５が設けられている。また、尿素水ポンプ２２の吐出口部分には、尿素水を濾過するためのフィルタ（図示略）が設けられており、逐次吐出される尿素水はフィルタにより異物が除去された後、尿素水供給管２３に吐出される。
【００２７】
上記システムの中で電子制御ユニットとして主体的に排気浄化に係る制御を行う部分がＥＣＵ４０である。ＥＣＵ４０は、周知のマイクロコンピュータ（図示略）を備え、各種センサの検出値に基づいて所望とされる態様で尿素水添加弁１５をはじめとする各種アクチュエータを操作することにより、排気浄化に係る各種の制御を行うものである。具体的には、例えば尿素水添加弁１５の通電時間（開弁時間）や尿素水ポンプ２２の駆動量等を制御することにより、適切な時期に適正な量の尿素水を排気管１１内に添加供給する。
【００２８】
本実施形態に係る上記システムでは、エンジン運転時において、尿素水ポンプ２２の駆動により尿素水タンク２１内の尿素水が尿素水供給管２３を通じて尿素水添加弁１５に圧送され、尿素水添加弁１５により排気管１１内に尿素水が添加供給される。すると、排気管１１内において排気と共に尿素水がＳＣＲ触媒１３に供給され、ＳＣＲ触媒１３においてＮＯｘの還元反応が行われることによってその排気が浄化される。ＮＯｘの還元に際しては、例えば、
（ＮＨ2）2ＣＯ＋Ｈ2Ｏ→２ＮＨ3＋ＣＯ2    …（式４）
のような反応をもって、尿素水が排気熱で加水分解されることによりアンモニア（ＮＨ3）が生成され、ＳＣＲ触媒１３にアンモニアが吸着するとともに同ＳＣＲ触媒１３において排気中のＮＯｘがアンモニアにより選択的に還元除去される。すなわち、同ＳＣＲ触媒１３上で、そのアンモニアに基づく還元反応（上記反応式（式１）〜（式３））が行われることによって、ＮＯｘが還元、浄化されることになる。
【００２９】
ところで、尿素水添加弁１５により排気管１１内に尿素水が添加される際、排気管１１内が低温であると、尿素水の気化が不十分となり、ＳＣＲ触媒１３のＮＯｘ浄化能力が低下することが懸念される。そこで本実施形態では、尿素水供給管２３の途中に加熱手段としてのヒータ３１を設け、このヒータ３１の加熱により尿素水を加熱する。この場合特に、排気管１１内における排気温度を検出し、該検出した排気温度に基づいてヒータ３１による尿素水の加熱制御を実施することとしている。
【００３０】
ヒータ３１の設置構造は何ら限定はなく任意な構成が適用できるが、以下例示する。ヒータ３１は、尿素水供給管２３を包むようにして配管外周に設けられる。又は、尿素水供給管２３に埋め込んだ状態でヒータ３１が設けられる。ヒータ３１の設置場所は１カ所だけでなく、２カ所、３カ所など複数箇所であってもよい。
【００３１】
図２は、尿素水の加熱制御の処理手順を示すフローチャートであり、本処理は、エンジン始動スイッチ（ＩＧスイッチ）のオン後においてＥＣＵ４０により所定周期で繰り返し実施される。
【００３２】
図２において、ステップＳ１１では、排気温度センサ１７の検出結果に基づいて排気温度を算出するとともに、尿素水温度センサ２５の検出結果に基づいて尿素水温度を算出する。続くステップＳ１２では、都度の排気温度に基づいて目標加熱温度を設定する。目標加熱温度は、ヒータ３１の加熱により昇温させる際の尿素水の目標温度であり、例えば図３の関係を用いて設定される。
【００３３】
図３では、尿素水の融点（１３２℃）を基準にして定めた制御切替温度Ｔ１を境に、排気温度がＴ１よりも高温であれば目標加熱温度を常温（２０℃）とし、排気温度がＴ１よりも低温であれば目標加熱温度を「常温（２０℃）〜尿素水の加水分解温度（８０℃）」の温度範囲内のいずれかとするような関係が規定されている。制御切替温度Ｔ１は例えば１４０℃である。この場合、制御切替温度Ｔ１よりも低温側では尿素水のヒータ加熱が実施され、制御切替温度Ｔ１よりも高温側では尿素水のヒータ加熱が実施されないこととなる。つまり、排気温度がＴ１以下となる状態が「所定の低温状態」に相当する。また、制御切替温度Ｔ１よりも低温側では、排気温度が低いほど、目標加熱温度を高くするような関係が規定されている。ただし、尿素水の加水分解温度（８０℃）が上限温度となっており、排気温度がＴ２以下であれば目標加熱温度がその上限温度（８０℃）に保持されるようになっている。
【００３４】
その後、ステップＳ１３では、目標加熱温度と尿素水温度との温度差（＝目標加熱温度−尿素水温度）が所定のしきい値Ｋ以上であるか否かを判定する。しきい値Ｋは、０又は０付近の正の値である。そして、温度差≧Ｋであれば、ステップＳ１４に進んでヒータ３１をオンし、温度差＜Ｋであれば、ステップＳ１５に進んでヒータ３１をオフする。
【００３５】
以上詳述した本実施形態によれば、以下の優れた効果が得られる。
【００３６】
尿素水供給管２３にその内部の尿素水を加熱するヒータ３１を設け、都度の排気温度に基づいてヒータ３１による尿素水の加熱制御を実施する構成としたため、尿素水添加弁１５による添加前の尿素水を、排気通路内への添加後において早期に気化可能な温度に加熱することができる。この場合、尿素水の気化について排気温度との関係が考慮されて加熱制御が行われることで、尿素水の適度な気化を実現できる。その結果、排気通路内において尿素水を十分に気化させ、ひいてはＳＣＲ触媒１３の浄化能力を高めることができる。
【００３７】
排気温度が低いほど、尿素水の目標加熱温度を高くする構成としたため（図３参照）、都度の排気温度に応じて尿素水の目標加熱温度を好適に設定でき、適度に尿素水を気化させることができる。
【００３８】
排気温度が所定の低温状態（例えば１４０℃以下）にある場合に、ヒータ３１による尿素水の加熱を実施し、同排気温度が前記低温状態にない場合に、ヒータ３１による尿素水の加熱を実施しない構成としたため、所定の低温状態以外であり必要でないのに尿素水が加熱される、といった尿素水の過加熱を抑制できる。
【００３９】
尿素水からアンモニアが生成される加水分解温度を温度上限としてヒータ３１による尿素水の加熱制御を実施する構成としたため、尿素水供給管２３内で（すなわち、尿素水添加弁１５による添加前に）尿素水が加水分解されてアンモニアが生成されるといった不都合を抑制できる。
【００４０】
尿素水添加弁１５としてインジェクタタイプの電磁式開閉弁を用いる構成としたため、尿素水の添加制御を高精度に行うことが可能となる。これにより、尿素水の無駄な消費を抑制でき、尿素水消費量の低減を図ることができる。
【００４１】
尿素水添加弁１５を、ＤＰＦ（ＰＭ除去用フィルタ）の下流側に設ける構成とした。これにより、尿素水添加弁１５の先端添加口がＰＭにより汚染されるといった不都合が抑制でき、尿素水添加弁１５を長期にわたって使用することが可能になる。
【００４２】
（他の実施形態）
本発明は上記実施形態の記載内容に限定されず、例えば次のように実施されてもよい。
【００４３】
・排気通路内における排気流量を算出し、該算出した排気流量が少ないほど、ヒータ３１による尿素水の加熱度合いを大きくする構成を採用してもよい。なお、エアフロメータ等の吸入空気量検出手段の検出値に基づいて排気流量が算出されるとよい。又は、都度のエンジン運転状態（エンジン回転速度や運転負荷等）に基づいて排気流量が算出されるとよい。つまり、排気通路において排気流量と尿素水の気化状況とには関連があり、排気通路内の排気流量が少ないほど、排気通路内において尿素水が気化しにくいと考えられる。この点を考慮して、尿素水の加熱制御において排気流量に基づいて目標加熱温度を可変設定する。より具体的には、図４に示す関係を用いて目標加熱温度を設定する。図４によれば、上述したとおり都度の排気温度が低いほど目標加熱温度が高い温度に設定されるのに加え、排気流量が少ないほど目標加熱温度が高い温度（ただし、上限温度＝８０℃）に設定されるようになっている。上記構成によれば、排気流量が少なくても、尿素水を十分に気化させることができる。
【００４４】
・上記実施形態では、目標加熱温度と尿素水温度との温度差に基づいてヒータ３１をオン又はオフする構成としたが（図２のステップＳ１３〜Ｓ１５）、これを変更し、目標加熱温度と尿素水温度との温度差に基づいてヒータ３１の通電量（通電デューティなど）を制御する構成としてもよい。この場合、温度差（＝目標加熱温度−尿素水温度）が大きいほど、ヒータ通電量を大きくするとよい。
【００４５】
・エンジンの運転停止中において、ヒータ３１による尿素水加熱の要否判定を実施し、その要否判定の結果に基づいてヒータ３１による加熱を実施する構成としてもよい。より具体的には、エンジン停止状態で車両ドアが開放されたこと、又はエンジン停止状態で車両シートに人が着座したことなど、所定の車両搭乗動作が生じたことを検知し、その検知結果に基づいて、尿素水加熱を要することを判定するとよい。また、エンジン停止中において、あらかじめ定めたタイミング（時刻）になると加熱要とみなしてヒータ３１による加熱を実施する構成としてもよい。このようにエンジン運転停止中に尿素水の加熱を実施することにより、エンジン始動後において早期に適正な状態での尿素水の添加を行わせることができる。
【００４６】
・上記実施形態では、尿素水供給管２３内の尿素水を対象として加熱制御を実施したが、これを変更し、尿素水タンク２１内の尿素水を対象として加熱制御を実施する構成としてもよい。
【００４７】
また、大小２つの尿素水タンクを直列に設け、そのうち小容量でかつ尿素水添加弁１５側に設けられた尿素水タンク内の尿素水を加熱する構成を採用してもよい。具体的には、図５に示す構成を採用する。図５では、尿素水タンク２１（尿素水ポンプ２２）と尿素水添加弁１５との間、すなわち尿素水供給管２３の途中には、尿素水タンク２１よりも小容量のサブタンク５１が設けられ、そのサブタンク５１にヒータ５２が設けられている。本例では、尿素水タンク２１が「第１タンク」に相当し、サブタンク５１が「第２タンク」に相当する。そして、サブタンク５１内の尿素水を対象として加熱が行われる。図５の構成では、比較的小容量のサブタンク５１内の尿素水を対象に加熱制御が実施されるため、尿素水タンク２１内の尿素水を加熱する場合に比して、尿素水をいち早く所望の温度に加熱できる。また、尿素水の加熱に要する電力エネルギ等の低減を図ることもできる。
【００４８】
その他、尿素水タンク２１と尿素水供給管２３との両方にヒータ５２を設ける構成としてもよい。
【００４９】
・上記実施形態では、尿素水タンク２１内にインタンクポンプとして尿素水ポンプ２２を設けたが、これを変更し、尿素水供給管２３にインラインポンプとして尿素水ポンプ２２を設けてもよい。尿素水ポンプ２２をインラインポンプとすることで、尿素水タンク２１内における尿素水の凍結・膨張によるポンプの破損を抑制できる。
【００５０】
・車載ディーゼルエンジン用の尿素ＳＣＲシステムとしての実用化以外に、他のエンジン、例えばガソリンエンジン（火花点火式エンジン）用の尿素ＳＣＲシステムとしての実用化が可能である。液状の還元剤として尿素水溶液以外を用いることも可能であり、他の還元剤であっても、加熱により気化促進を図ることにより排気浄化性能を高めることが可能となる。
【図面の簡単な説明】
【００５１】
【図１】発明の実施の形態における尿素ＳＣＲシステムの概略を示す構成図。
【図２】尿素水の加熱制御の処理手順を示すフローチャート。
【図３】排気温度と目標加熱温度との関係を示す図。
【図４】排気温度と排気流量と目標加熱温度との関係を示す図。
【図５】他の実施形態における尿素ＳＣＲシステムの概略を示す構成図。
【符号の説明】
【００５２】
１１…排気管、１３…ＳＣＲ触媒（排気浄化装置）、１５…尿素水添加弁（還元剤添加手段）、２１…尿素水タンク（還元剤タンク、第１タンク）、２３…尿素水供給管、３１…ヒータ（加熱手段）、４０…ＥＣＵ（温度検出手段、制御手段、流量算出手段）、５１…サブタンク（第２タンク）、５２…ヒータ（加熱手段）。
【図１】
2010065581.tif 000003
【図２】
2010065581.tif 000004
【図３】
2010065581.tif 000005
【図４】
2010065581.tif 000006
【図５】
2010065581.tif 000007